(57)【要約】      （修正有）【課題】鼓膜からの赤外線を効率的に受け取り可能な状態で安定して保持することのできる保持具およびその保持具を用いた耳式体温計を提供する。【解決手段】測温対象者の耳の鼓膜の温度を非接触で測定する赤外線センサを有し、測温対象者の耳穴に装着される耳式体温計Ｅの保持具Ｆ１であって、耳式体温計の少なくとも一部を覆うように装着される保持具本体２０５と、保持具本体から外側に湾曲して延伸され、測温対象者の耳甲介艇と係合可能な可撓性の係合腕２０１と、保持具本体から延伸され、係合腕と接合して支持する可撓性の支持部２０２とを備える。【選択図】図１
2020110288.tif 000002
【特許請求の範囲】
【請求項１】
測温対象者の耳の鼓膜の温度を非接触で測定する赤外線センサを有し、前記測温対象者の耳穴に装着される耳式体温計の保持具であって、
前記耳式体温計の少なくとも一部を覆うように装着される保持具本体と、
該保持具本体から外側に湾曲して延伸され、前記測温対象者の耳甲介艇と係合可能な可撓性の係合腕と、
前記保持具本体から延伸され、前記係合腕と接合して支持する可撓性の支持部と
を備えることを特徴とする耳式体温計の保持具。
【請求項２】
前記係合腕と前記支持部との交点の内側には、可撓性の接合部が形成されていることを特徴とする請求項１に記載の耳式体温計の保持具。
【請求項３】
前記係合腕の一部は、前記測温対象者の耳甲介腔と当接可能に形成されていることを特徴とする請求項１または請求項２に記載の耳式体温計の保持具。
【請求項４】
前記係合腕の先端には、切取り可能な突起部が設けられていることを特徴とする請求項１から請求項３の何れか１項に記載の耳式体温計の保持具。
【請求項５】
測温対象者の耳の鼓膜の温度を非接触で測定する赤外線センサを有し、前記測温対象者の耳穴に装着される耳式体温計の保持具であって、
前記耳式体温計の少なくとも一部を覆うように装着される保持具本体と、
該保持具本体から外側に環状に突出し、前記測温対象者の耳甲介腔と係合可能な可撓性の係合腕を備えることを特徴とする耳式体温計の保持具。
【請求項６】
請求項１から請求項５の何れか１項に記載の耳式体温計の保持具を用いることを特徴とする耳式体温計。
【発明の詳細な説明】
【技術分野】
【０００１】
本発明は、測温対象者の体温を測定する体温計を耳に保持する保持具およびその保持具を用いた耳式体温計に関する。
【背景技術】
【０００２】
例えば手術室や集中治療室等では、施術中の測温対象者の体温測定は必須である。
【０００３】
また、例えば長時間に亘って身体的負担が大きな作業を行う労働者や、各種競技を行うアスリート等についても体調管理の一環として、体温測定が必要な場合がある。
【０００４】
このような患者、労働者、アスリート等の測温対象者の体温の測定は、長時間にわたり連続して測定する必要があるため身体への負担が少ないことが重要である。
【０００５】
このような要求に応える体温計として、プローブを測温対象者の耳穴に挿入して鼓膜の温度を測定する耳式体温計が種々提案されている（例えば、特許文献１等）。
【先行技術文献】
【特許文献】
【０００６】
【特許文献１】特開２００５−２９３４６６号公報
【発明の概要】
【発明が解決しようとする課題】
【０００７】
ここで、耳式体温計は、鼓膜から発せられている赤外線を赤外線センサで検出することで、体温を測定している。
【０００８】
したがって、体温を正確に測定するためには、赤外線センサの測定部が鼓膜側を向くように耳式体温計が外耳道内で保持されることが必要である。
【０００９】
ところが、測温対象者の頭部の動きによっては、耳式体温計の位置が外耳道内でズレて、赤外線センサの測定部が鼓膜側を正確に指向しなくなる場合がある。
【００１０】
特に、各種作業を行う労働者や各種競技を行うアスリート等が耳式体温計を装着する場合には、激しい動きにより、耳式体温計の位置が外耳道内で大きくズレてしまう虞があり、正確な体温測定を行うことができないという不都合がある。
【００１１】
本発明は、上記課題に鑑みてなされたものであり、鼓膜からの赤外線を効率的に受け取り可能な状態で安定して保持することのできる保持具およびその保持具を用いた耳式体温計を提供することを目的とする。
【課題を解決するための手段】
【００１２】
上記目的を達成するため、請求項１に係る耳式体温計の保持具は、測温対象者の耳の鼓膜の温度を非接触で測定する赤外線センサを有し、前記測温対象者の耳穴に装着される耳式体温計の保持具であって、前記耳式体温計の少なくとも一部を覆うように装着される保持具本体と、該保持具本体から外側に湾曲して延伸され、前記測温対象者の耳甲介艇と係合可能な可撓性の係合腕と、前記保持具本体から延伸され、前記係合腕と接合して支持する可撓性の支持部とを備えることを要旨とする。
【００１３】
これにより、耳式体温計を鼓膜からの赤外線を効率的に受け取り可能な状態で安定して保持することができる。
【００１４】
請求項２に係る耳式体温計の保持具は、請求項１に記載の発明について、前記係合腕と前記支持部との交点の内側には、可撓性の接合部が形成されていることを要旨とする。
【００１５】
これにより、耳式体温計の耳への保持性を向上させることができる。
【００１６】
請求項３に係る耳式体温計の保持具は、請求項１または請求項２に記載の発明について、前記係合腕の一部は、前記測温対象者の耳甲介腔と当接可能に形成されていることを要旨とする。
【００１７】
これにより、耳式体温計の耳への保持性をより向上させることができる。
【００１８】
請求項４に係る耳式体温計の保持具は、請求項１から請求項３の何れか１項に記載の発明について、前記係合腕の先端には、切取り可能な突起部が設けられていることを要旨とする。
【００１９】
これにより、種々の大きさの耳に対応させて、保持性をより向上させることができる。
【００２０】
請求項５に係る耳式体温計の保持具は、測温対象者の耳の鼓膜の温度を非接触で測定する赤外線センサを有し、前記測温対象者の耳穴に装着される耳式体温計の保持具であって、前記耳式体温計の少なくとも一部を覆うように装着される保持具本体と、該保持具本体から外側に環状に突出し、前記測温対象者の耳甲介腔と係合可能な可撓性の係合腕を備えることを要旨とする。
【００２１】
これにより、左右の耳に共用することができ、保持性と共に利便性を向上することができる。
【００２２】
請求項５に係る耳式体温計は、請求項１から請求項５の何れか１項に記載の耳式体温計の保持具を用いることを要旨とする。
【００２３】
これにより、保持具の働きにより、鼓膜からの赤外線を効率的に受け取り可能な状態で安定して保持することができる。
【発明の効果】
【００２４】
本発明によれば、鼓膜からの赤外線を効率的に受け取り可能な状態で安定して保持することのできる保持具およびその保持具を用いた耳式体温計計を提供することができる。
【図面の簡単な説明】
【００２５】
【図１】第１の実施の形態に係る保持具を取り付けた耳式体温計を示す斜視図である。
【図２】第１の実施の形態に係る保持具を外した状態の耳式体温計を示す斜視図である。
【図３】第１の実施の形態に係る保持具の上面図である。
【図４】第１の実施の形態に係る保持具の側面図である。
【図５】第１の実施の形態に係る保持具の正面図である。
【図６】第１の実施の形態に係る保持具の底面図である。
【図７】第１の実施の形態に係る保持具を外した状態の耳式体温計の構成例を示す右側面（ａ）、底面図（ｂ）および正面図（ｃ）である。
【図８】第１の実施の形態に係る保持具を取り付けた耳式体温計を耳に装着した状態を示す説明図である。
【図９】第２の実施の形態に係る保持具を示す側面図（ａ）、上面図（ｂ）、正面図（ｃ）および底面図（ｄ）である。
【図１０】第２の実施の形態に係る保持具を取り付けた耳式体温計を耳に装着した状態を示す説明図である。
【発明を実施するための形態】
【００２６】
［第１の実施の形態］
図１〜図８を参照して、本発明の第１の実施の形態に係る保持具Ｆ１およびその保持具を用いた耳式体温計Ｅについて説明する。
【００２７】
ここで、図１は第１の実施の形態に係る保持具Ｆ１を取り付けた耳式体温計Ｅを示す斜視図、図２は保持具Ｆ１を外した状態の耳式体温計Ｅを示す斜視図、図３は保持具Ｆ１の上面図、図４はその側面図、図５はその正面図、図６はその底面図、図７（ａ）は保持具Ｆ１を外した状態の耳式体温計Ｅの構成例を示す右側面、図７（ｂ）はその底面図、図７（ｃ）はその正面図、図８は保持具Ｆ１を取り付けた耳式体温計Ｅを耳に装着した状態を示す説明図である。
【００２８】
（保持具の構成例）
第１の実施の形態に係る保持具Ｆ１は、患者、労働者或いはアスリート等の測温対象者の耳５００の鼓膜の温度を非接触で測定する赤外線センサ（図示せず）を有し、測温対象者の耳穴に装着される耳式体温計Ｅの保持具である。
【００２９】
図１〜図８に示すように、保持具Ｆ１は、耳式体温計Ｅのハウジング１０の一部を覆うように装着される保持具本体２０５と、保持具本体２０５から外側に湾曲して延伸され、測温対象者の耳甲介艇５０４（図８参照）と係合可能な可撓性の係合腕２０１と、保持具本体２０５から延伸され、係合腕２０１と接合して支持する可撓性の支持部２０２とを備えている。
【００３０】
なお、保持具Ｆ１は、シリコンゴム等の柔軟で可撓性を有する材料により、一体的に成形されている。
【００３１】
また、係合腕２０１と支持部２０２との交点の内側には、可撓性の接合部２０１ａが一体的に形成されている。
【００３２】
さらに、係合腕２０１の一部は、測温対象者の耳甲介腔５０１と当接可能に形成されている。
【００３３】
また、図１等に示すように、係合腕２０１の先端には、切取り可能な突起部２０３を設けてもよい。これにより、人によって異なる種々の大きさの耳に広く対応させて、保持性をより向上させることができる。
【００３４】
なお、図３等において、符号２０４は、耳式体温計Ｅのケーブル１３の挿通部である。
【００３５】
（耳式体温計の構成例）
耳式体温計Ｅは、図７に示すように、測温対象者の耳５００の鼓膜の温度を非接触で測定する赤外線センサ（図示せず）を有し、測温対象者の耳穴に装着されるプローブＰＢを備えている。
【００３６】
プローブＰＢは、主に、測温対象者の耳穴に挿入されるプローブ本体（図には現れない）と、プローブ本体を支持するハウジング１０と、プローブ本体に装着され、測温対象者の耳穴内部に当接するインイヤ型のイヤピース１２とから構成されている。
【００３７】
ハウジング１０およびプローブ本体は、ＡＢＳ樹脂等によって成形される。なお、ハウジング１０とプローブ本体は、一体的に成形してもよい。
【００３８】
赤外線センサは、プローブ本体の先端側に形成される凹部内に配置されている。
【００３９】
イヤピース１２は、一部が中空の円錐状を呈する基底部１２ａと、基底部１２ａの一端に、ハウジング１０から離間する方向に延設される略円筒状の先端部１２ｂとを有する。
【００４０】
なお、基底部１２ａと先端部１２ｂとは、シリコンゴム等の柔軟な可撓性材料により一体的に形成される。また、符号１１はツマミ部、符号１２０、外部音等を通す孔である。
【００４１】
このような構成の耳式体温計Ｅは、単独でも測温対象者の耳穴に安定して保持可能であるが、本実施の形態に係る保持具Ｆ１を取り付けることにより、鼓膜からの赤外線を効率的に受け取り可能な状態でより安定して保持することができる。
【００４２】
（装着例）
図８を参照して、第１の実施の形態に係る保持具Ｆ１を取り付けた耳式体温計Ｅを耳に装着した状態について説明する。
【００４３】
図８に示すように、保持具Ｆ１の係合腕２０１は、測温対象者の右耳５００の耳甲介艇５０４に係合されている。この際に、支持部２０２および接合部２０１ａの弾性により、係合腕２０１は図上、上方に付勢される。これにより、耳式体温計Ｅは、安定して保持される。
【００４４】
また、係合腕２０１の一部は、耳甲介腔５０１と当接する。これにより、耳式体温計Ｅは、より安定して保持される。
【００４５】
ここで、保持具Ｆ１のサイズについて述べる。
【００４６】
図８に示すように、縦方向の外耳孔中心線５０６から耳甲介腔５０１の端部までの距離をＬ１、横方向の外耳孔中心線５０５から耳甲介艇５０４の端部までの距離をＬ２、耳甲介腔５０１の端部から係合腕２０１の先端部２０３までの距離をＬ３とした場合に、Ｌ１〜Ｌ３のサイズを耳の大きさに合わせて決定して組み合わせることにより、例えば、Ｌ、Ｍ、Ｓの３サイズを用意することができる。
【００４７】
なお、寸法Ｌ３については、先端部２０３を設けることにより、若干長めに設計し、耳の大きさに応じて先端部２０３を切り取ることができるようにすることで、サイズ数を余り増やすことなく、種々の大きさの耳に対応させることができる。
【００４８】
また、図８では、保持具Ｆ１を取り付けた耳式体温計Ｅを測温対象者の右耳５００に装着する状態を示したが、保持具Ｆ１の係合腕２０１の取り付け状態等を変更した左耳対応モデルを用意して、左耳に装着できる態様とすることもできる。
【００４９】
［第２の実施の形態］
図９および図１０を参照して、本発明の第２の実施の形態に係る保持具Ｆ２およびその保持具を用いた耳式体温計Ｅについて説明する。
【００５０】
ここで、図９（ａ）は、第２の実施の形態に係る保持具Ｆ２を示す側面図、図９（ｂ）はその上面図、図９（ｃ）はその正面図、図９（ｄ）はその底面図、図１０は、保持具Ｆ２を取り付けた耳式体温計Ｅを耳に装着した状態を示す説明図である。
【００５１】
第２の実施の形態に係る保持具は、測温対象者の耳５００の鼓膜の温度を非接触で測定する赤外線センサ（図示せず）を有し、測温対象者の耳穴に装着される耳式体温計Ｅの保持具Ｆ２である。
【００５２】
保持具Ｆ２は、耳式体温計のハウジングの少なくとも一部を覆うように装着される保持具本体３０３と、保持具本体３０３から外側に環状に突出し、測温対象者の耳甲介腔５０１と係合可能な可撓性の係合腕３０１を備える。
【００５３】
なお、保持具Ｆ２は、シリコンゴム等の柔軟で可撓性を有する材料により、一体的に成形されている。
【００５４】
なお、図９において、符号３０５は、耳式体温計Ｅのケーブル１３の挿通部である。
【００５５】
（装着例）
図１０を参照して、第２の実施の形態に係る保持具Ｆ２を取り付けた耳式体温計Ｅを耳に装着した状態について説明する。
【００５６】
図１０に示すように、保持具Ｆ２の係合腕３０１の一部は、耳甲介腔５０１と係合されている。これにより、耳式体温計Ｅは、安定して保持される。
【００５７】
なお、第２の実施の形態に係る保持具Ｆ２は、左右の耳に共用できるので、利便性を向上することができる。
【００５８】
また、縦方向の外耳孔中心線５０６から耳甲介腔５０１の端部までの距離をＬ１を変えることにより、例えば、Ｌ、Ｍ、Ｓの３サイズを用意することができる。
【００５９】
以上、本発明の耳式体温計の保持具等を図示の実施形態に基づいて説明したが、本発明はこれに限定されるものではなく、各部の構成は、同様の機能を有する任意の構成のものに置き換えることができる。
【符号の説明】
【００６０】
Ｅ…耳式体温計
Ｆ１、Ｆ２…保持具
１０…ハウジング
１２…イヤピース
２０１、３０１…係合腕
２０２…支持部
２０３…先端部
２０５、３０３…保持具本体
【図１】
2020110288.tif 000003
【図２】
2020110288.tif 000004
【図３】
2020110288.tif 000005
【図４】
2020110288.tif 000006
【図５】
2020110288.tif 000007
【図６】
2020110288.tif 000008
【図７】
2020110288.tif 000009
【図８】
2020110288.tif 000010
【図９】
2020110288.tif 000011
【図１０】
2020110288.tif 000012